(57)【要約】【課題】保護管の補修工事をスムーズに行いつつ、既設の保護管と同等の強度、水密性等の性能を有する補修管を現地にて成形すること。【解決手段】保護管１の補修箇所に、分割型枠３を組み合わせた型枠４を設ける。この分割型枠３は、基部５と、この基部５の一方の周方向端部に、この基部５に対して管軸中心方向に相対回動自在にヒンジ６によって連結された第一分割部７と、この基部５の他方の周方向端部に、この基部５に対して管軸中心方向に相対回動自在にヒンジ６によって連結された第二分割部８と、管状の型枠４を形成した際に、第一分割部７と第二分割部８に介在して、型枠４の管体の一部を構成するスペーサ９と、を備えている。既設のケーブルＣは、一旦切断されることなくこの型枠４内に収納され、型枠４の外周面に沿って周方向に継ぎ目のない補修管２を形成し、この型枠４を分割型枠３に分割する際にこの型枠４から取り出される。【選択図】図１Ａ
2014212640.tif 000002
【特許請求の範囲】
【請求項１】
既設のケーブル（Ｃ）を内部に通しつつ、周方向に分割された複数の分割型枠（３）を組み合わせて管状の型枠（４）を形成する工程と、
前記型枠（４）の外周面に沿って、周方向に継ぎ目のない補修管（２）を形成する工程と、
前記補修管（２）の形成後に、この補修管（２）の内部で、管状とした前記型枠（４）を前記分割型枠（３）に再分割する工程と、
前記ケーブル（Ｃ）を前記補修管（２）内に残しつつ、前記再分割した前記分割型枠（３）を前記補修管（２）の端部から抜き取る工程と、
前記補修管（２）の端部と既設管（１）の端部とを連結する工程と、
を有する保護管補修方法。
【請求項２】
前記分割型枠（３）が、基部（５）と、前記基部（５）の一方の周方向端部に、この基部（５）に対して管軸中心方向に相対回動自在に連結された第一分割部（７）と、前記基部（５）の他方の周方向端部に、この基部（５）に対して管軸中心方向に相対回動自在に連結された第二分割部（８）と、前記管状の型枠（４）を形成した際に、前記第一分割部（７）と前記第一分割部（８）に介在して、前記型枠（４）の管体の一部を構成するスペーサ（９）と、を有する請求項１に記載の保護管補修方法。
【請求項３】
前記補修管（２）を形成する工程が、前記型枠（４）の外周面に未硬化の樹脂材を含む素材を巻き付ける工程と、この巻き付け工程後に前記樹脂材を硬化させる工程と、を有する請求項１又は２に記載の保護管補修方法。
【請求項４】
周方向に分割された複数の分割型枠（３）を有し、この分割型枠（３）を組み合わせて管状の型枠（４）とし、この型枠（４）の外周に、周方向に継ぎ目のない補修管（２）を形成する際に用いる保護管補修用型枠。
【請求項５】
前記分割型枠（２）が、基部（５）と、前記基部（５）の一方の周方向端部に、この基部（５）に対して前記周方向端部周りに相対回動自在に連結された第一分割部（７）と、前記基部（５）の他方の周方向端部に、この基部（５）に対して前記周方向端部周りに相対回動自在に連結された第二分割部（８）と、前記管状の型枠（４）を形成した際に、前記第一分割部（７）と前記第一分割部（８）に介在して、前記型枠（４）の管体の一部を構成するスペーサ（９）と、を有する請求項４に記載の保護管補修用型枠。
【請求項６】
請求項１から３のいずれか一項に記載の保護管補修方法によって形成された、内部にケーブル（Ｃ）が通されるとともに、周方向に継ぎ目がない保護管。
【発明の詳細な説明】
【技術分野】
【０００１】
この発明は、橋梁に添架されたり、地中に埋設されたりする電力ケーブルや通信ケーブル等のケーブルを保護するための保護管補修方法、その補修方法に用いる保護管補修用型枠、及びその補修方法によって形成された補修管に関する。
【背景技術】
【０００２】
近年、電力ケーブルや通信ケーブル等のケーブルは、橋梁に添架されたり、地下に埋設されたりするケースが増大している。この際、このケーブルを保護管の内部に収納して、その保護を図るのが一般的である。この保護管に、外部からの外的要因や地震等の地盤変動によって部分的に損傷が生じたり、経年劣化が生じたりした場合は、その損傷等した部分のみを補修する補修工事が行われる。
【０００３】
例えば、特許文献１には、周方向に二つ割れ構造とした分割管をその端面同士で突き合わせて管状とし、その内部に既設のケーブルを収納したケーブル収容管が開示されている。この端面同士を突き合わせた突き合わせ端部には、水密機能を備えたジッパー付きのＨ字形のガスケットが介在して設けられている。そして、このジッパーを閉めることによって、この突き合わせ端部の水密を図っている（同文献の図６等を参照）。また、特許文献２には、成形金型の外周に未硬化の樹脂を含浸した強化繊維を巻き付けて積層し、この樹脂を硬化させた後に成形金型を抜き取ることによって形成した、周方向に継ぎ目がない繊維強化樹脂製の管継手が開示されている。このように、周方向の継ぎ目をなくした管継手を保護管の補修に用いることにより、その補修箇所において、既設の保護管と同等の強度と水密を確保している。これらに示すように、管体の強度や水密状態を確保することにより、収納したケーブルを確実に保護することができる。
【先行技術文献】
【特許文献】
【０００４】
【特許文献１】実用新案登録第３１１３０８３号公報
【特許文献２】特開２０１０−２８０１００号公報
【発明の概要】
【発明が解決しようとする課題】
【０００５】
特許文献１に示すケーブル収容管は、二つ割れ構造とした分割管の突き合わせ端部の水密を確保するために、特殊なジッパーが必要となるため、コスト的に高くつきやすい。また、このジッパーが経年劣化した際に水密が低下して、このケーブル収容管内に水が浸入してケーブルに支障を来たす問題が生じ得る。しかも、二つ割れ構造であることから、周方向に継ぎ目がない既設の保護管と比較して、強度面で劣るという問題等もある。また、特許文献２に示す管継手は、その周方向に継ぎ目がないため、特許文献１に示すケーブル収容管のように、強度低下を生じたり、周面から水が浸入したりする恐れはないが、既設のケーブルを直接その管内に設けることができず、補修工事の際に既設のケーブルを一旦切断して、管継手の設置後に再接続しなければならないという手間を要する問題がある。
【０００６】
そこで、この発明は、保護管の補修工事をスムーズに行いつつ、既設の保護管と同等の強度、水密性等の性能を有する補修管を現地にて成形することを課題とする。
【課題を解決するための手段】
【０００７】
上記の課題を解決するため、この発明は、既設のケーブルを内部に通しつつ、周方向に分割された複数の分割型枠を組み合わせて管状の型枠を形成する工程と、前記型枠の外周面に沿って、周方向に継ぎ目のない補修管を形成する工程と、前記補修管の形成後に、この補修管の内部で、管状とした前記型枠を前記分割型枠に再分割する工程と、前記ケーブルを前記補修管内に残しつつ、前記再分割した前記分割型枠を前記補修管の端部から抜き取る工程と、前記補修管の端部と既設管の端部とを連結する工程と、を有する保護管補修方法を構成した。
【０００８】
このように、分割型枠を組み合わせて管状の型枠を形成し、この型枠に沿って継ぎ目のない補修管を形成することにより、既設の保護管と同等の強度を確保し得るとともに、この補修管の周面からの水漏れを防止することができる。また、補修管の形成に用いる型枠として分割型枠を採用したことにより、管状の型枠の組み合わせ前に分割型枠同士の間の隙間から既設のケーブルを予めその内側に収納しておくことができる。さらに、補修管の形成後に型枠を分割型枠に再分割することで、分割型枠同士の間の隙間からこのケーブルを取り出すことができる。つまり、型枠内へのケーブルの収納及び取り出しに際し、このケーブルを一旦切断する必要がなく、一連の補修工事をスムーズに行うことができる。ここでいう分割とは、各分割型枠を物理的に離れた状態とするだけでなく、後述するように各分割型枠がヒンジ等の連結手段で連結されている場合において、管状とした状態から、管状でない状態に相対回動させた場合も含む。
【０００９】
この分割型枠として、複数の分割型枠の全てを分離した構成（連結されていない構成）としてもよいが、このケーブルの収納及び取り出しを自在に行い得る限りにおいて、複数の分割型枠のうち幾つかをヒンジ等の連結手段によって相対回動自在に連結した構成とすることもできる。このように分割型枠の幾つかを連結することによって、この分割型枠がバラバラの状態になりにくく、管状の型枠に組み合わせる際、及びこの分割型枠を補修管の端部から抜き取る際の作業性が向上する。
【００１０】
前記構成においては、前記分割型枠が、基部と、前記基部の一方の周方向端部に、この基部に対して管軸中心方向に相対回動自在に連結された第一分割部と、前記基部の他方の周方向端部に、この基部に対して管軸中心方向に相対回動自在に連結された第二分割部と、前記管状の型枠を形成した際に、前記第一分割部と前記第一分割部に介在して、前記型枠の管体の一部を構成するスペーサと、を有するように構成するのが好ましい。
【００１１】
このように、基部に対して、第一分割部と第二分割部を管軸中心方向に相対回動自在に連結するとともに、両分割部の間にスペーサを設けるようにすれば、このスペーサの着脱によって、各分割型枠を容易に組み合わせ、又は、分解することができる。この際、各分割部とスペーサとの間の隙間から、既設のケーブルの収納及び取り出しを行うことにより、上記と同様に、既設のケーブルを切断することなく、スムーズに補修工事を進めることができる。
【００１２】
前記各構成においては、前記補修管を形成する工程が、前記型枠の外周面に未硬化の樹脂材を含む素材を巻き付ける工程と、この巻き付け工程後に前記樹脂材を硬化させる工程と、を有するのが好ましい。
【００１３】
このようにすれば、継ぎ目のない補修管を容易に形成することができる。未硬化の樹脂として、熱硬化性樹脂、光硬化性樹脂、常温硬化性樹脂等、種々のタイプの樹脂から選択して採用することができる。
【発明の効果】
【００１４】
この発明は、複数の分割型枠を組み合わせて管状の型枠を形成し、この型枠に沿って継ぎ目のない補修管を形成する構成とした。このように、分割型枠を用いることにより、この分割型枠同士の間の隙間からケーブルを収納し又は取り出すことができる。このため、既設のケーブルを一旦切断することなく、継ぎ目のない補修管内に収納した状態とすることができる。しかも、補修管の継ぎ目がないため、既設の保護管と同等の強度を確保し得るとともに、補修管の周面からの水漏れを防止することができる。このため、補修管内に収納したケーブルを確実に保護することができる。
【図面の簡単な説明】
【００１５】
【図１Ａ】本願発明に係る保護管補修方法の工程を示す斜視図であって、（ａ）は損傷等が生じた保護管の一部を除去した状態、（ｂ）は分割型枠内に既設のケーブルを収納した状態、（ｃ）は型枠の外周面に沿って補修管を形成した状態
【図１Ｂ】本願発明に係る保護管補修方法の工程（図１Ａの続き）を示す斜視図であって、（ａ）は型枠を分割してケーブルを型枠外に取り外した状態、（ｂ）は分割型枠を補修管の端部から抜き取った状態、（ｃ）は補修管の端部と既設の保護管の端部とを固定治具を用いて固定した状態
【図２】本願発明に係る分割型枠を示す断面図であって、（ａ）は分割型枠を組み合わせて管状の型枠とした状態、（ｂ）は型枠を分割した状態
【図３】保護管と補修管を固定する固定治具を示し、（ａ）は側面図、（ｂ）は一部切欠き正面図
【発明を実施するための形態】
【００１６】
本願発明に係る保護管補修方法の工程を図１Ａ及び図１Ｂに示す。まず、図１Ａ（ａ）に示すように破損や経年劣化等が生じた部分の保護管１を取り除く。このとき、既設のケーブルＣは切断せずにそのままの状態（保護管１内に通されたままの状態）としておく。次に、図１Ａ（ｂ）に示すように、新たに補修管２を形成しようとする箇所に、分割型枠３を組み合わせた型枠４を設ける。この分割型枠３は、図２（ａ）に示すように、基部５と、この基部５の一方の周方向端部に、この基部５に対して管軸中心方向に相対回動自在にヒンジ６によって連結された第一分割部７と、この基部５の他方の周方向端部に、この基部５に対して管軸中心方向に相対回動自在にヒンジ６によって連結された第二分割部８と、管状の型枠４を形成した際に、第一分割部７と第二分割部８に介在して、型枠４の管体の一部を構成するスペーサ９と、を備えている。
【００１７】
本実施形態では、スペーサ９が単に第一及び第二分割部７、８の間に挟まれることによって保持される構成となっているが、第一及び第二分割部７、８に脱落防止治具を設け、この脱落防止治具で、スペーサ９が型枠４の内側に不用意に落下するのを防止する構成とすることもできる。
【００１８】
次に、図１Ａ（ｃ）に示すように、管状とした型枠４の外周面に沿って、未硬化の樹脂を含浸した強化繊維（ＦＲＰ）を巻き付ける。この巻き付け厚さは、保護管１（補修管２）に要求される強度（既設の保護管１と同等の強度）に対応して適宜決定する。この樹脂として、例えば、所定以上の温度に加熱することによって硬化する熱硬化樹脂、常温で硬化する常温硬化樹脂、紫外線の照射によって硬化する光硬化性樹脂等、種々のタイプの硬化性樹脂を採用することができる。
【００１９】
この樹脂を硬化させて補修管２を形成した後に、図１Ｂ（ａ）及び図２（ｂ）に示すように、スペーサ９を型枠４の内側に取り外すとともに、第一及び第二分割部７、８を基部５に対して管軸中心方向に相対回動させ、型枠４を各分割型枠３に分割した状態とする。そして、この相対回動によって生じた補修管２と第一及び第二分割部７、８との間に形成された隙間（すなわち型枠４の外側）にケーブルＣを取り出す。このスペーサ９に、型枠４内側に起立する突起９ａを形成しておけば、この突起９ａを摘むことによって、容易にスペーサ９の取り外しを行うことができる。
【００２０】
ケーブルＣを型枠４から取り出した後に、補修管２の端部から、分割型枠３（基部５、第一及び第二分割部７、８、スペーサ９）を補修管２外に抜き取る（同図中の矢印を参照）。この分割型枠３を抜き取った後に、図１Ｂ（ｂ）に示すように、既設の保護管１と補修管２の端面が一致するように軸心を合わせ、図１Ｂ（ｃ）に示すように、固定治具１０を用いて両管１、２を固定する。
【００２１】
この固定治具１０は、図３に示すように周方向に２分割した半円筒状の分割治具１１を、その分割端面同士で突き合わせることによって構成される。この分割治具１１の周方向の両端にはフランジ１２が設けられ、このフランジ１２には固定用のボルト１３を通すボルト孔が形成されている。この分割治具１１の内面には、ゴム製の止水部材１４を設けている。この止水部材１４の管軸方向両端部近傍には、中心軸側に向かって起立するとともに、この分割治具１１の管軸方向中央側に傾斜する襞状部１５が数条形成されており、この襞状部１５により既設の保護管１及び補修管２の抜け止めを図っている。
【００２２】
この分割型枠３を用いた保護管補修方法によると、既設のケーブルＣを一旦切断する必要がないため、その補修作業をスムーズに行うことができる。また、周方向に継ぎ目のない補修管２を形成することができるため、既設の保護管１と同等の強度を確保し得るとともに、この補修管２の周面からの水の浸入を防止でき、この補修管２内に収納したケーブルＣを確実に保護することができる。
【００２３】
上記の実施形態においては、分割型枠３を基部５、第一及び第二分割部７、８、スペーサ９の４つの部材で構成したが、この分割部材３の数はこれに限定されず、各分割部材３の組み合わせ及び分割、及び補修管２を形成した後のその端部からのスムーズな抜き取りを行い得る限りにおいて適宜変更することができる。また、基部５と第一又は第二分割部７、８をヒンジ６で連結せずに、それぞれを独立した部材として構成することもできる。
【００２４】
また、ヒンジ６を上記の実施形態のように基部５、第一及び第二分割部７、８の外周面側に設ける代わりに、それらの内周面側に設けることもできる。このようにすれば、ヒンジ６と補修管２が干渉せず、分割型枠３の分割作業等を一層スムーズに行い得る。
【符号の説明】
【００２５】
１  保護管
２  補修管
３  分割型枠
４  型枠
５  基部
６  ヒンジ
７  第一分割部
８  第二分割部
９  スペーサ
１０  固定治具
１１  分割治具
１２  フランジ
１３  ボルト
１４  止水部材
１５  襞状部
Ｃ  ケーブル
【図１Ａ】
2014212640.tif 000003
【図１Ｂ】
2014212640.tif 000004
【図２】
2014212640.tif 000005
【図３】
2014212640.tif 000006